【手続補正書】
【提出日】平成29年12月6日(2017.12.6)
【手続補正１】
【補正対象書類名】特許請求の範囲
【補正対象項目名】全文
【補正方法】変更
【補正の内容】
【特許請求の範囲】
【請求項１】
ビデオ情報をコーディングするための装置であって、
現在のレイヤに関連付けられたビデオ情報を記憶するための手段と、
復号されるべき前記現在のレイヤの現在のピクチャのクロマフォーマット、前記現在のピクチャのルーマサンプルのビット深度、または前記現在のピクチャのクロマサンプルのビット深度のうちの少なくとも１つを取得するための手段、ここにおいて、前記現在のピクチャが、新しいコード化ビデオシーケンス（ＣＶＳ）を開始するイントラランダムアクセスポイント（ＩＲＡＰ）ピクチャである、と、
復号された前記現在のレイヤの先行するピクチャのクロマフォーマット、前記先行するピクチャのルーマサンプルのビット深度、または前記先行するピクチャのクロマサンプルのビット深度のうちの少なくとも１つを取得するための手段と、
前記現在のピクチャに関連付けられた第１のフラグの値を決定するための手段、前記第１のフラグは、復号ピクチャバッファ（ＤＰＢ）中の前に復号されたピクチャが出力されることなく前記ＤＰＢから削除されるべきであるかどうかを示し、前記前に復号されたピクチャは、前記１つまたは複数のレイヤから復号され、ここにおいて、前記第１のフラグの前記値の前記決定は、前記現在のピクチャの前記クロマフォーマット、および前記先行するピクチャの前記クロマフォーマット、前記現在のピクチャの前記ルーマサンプルの前記ビット深度、および前記先行するピクチャの前記ルーマサンプルの前記ビット深度、または前記現在のピクチャの前記クロマサンプルの前記ビット深度、および前記先行するピクチャの前記クロマサンプルの前記ビット深度のうちの少なくとも１つに基づく、と
を備える、装置。
【請求項２】
前記第１のフラグの前記値を前記決定するための手段は、
前記現在のピクチャの前記クロマフォーマットと、前記先行するピクチャの前記クロマフォーマットとが異なる、前記現在のピクチャの前記ルーマサンプルの前記ビット深度と、前記先行するピクチャの前記ルーマサンプルの前記ビット深度とが異なる、または前記現在のピクチャの前記クロマサンプルの前記ビット深度と、前記先行するピクチャの前記クロマサンプルの前記ビット深度とが異なると決定したことに応答して、
前記第１のフラグの前記値を１に等しく設定すること
によって前記第１のフラグの前記値を決定する、
請求項１に記載の装置。
【請求項３】
前記現在のピクチャの前記クロマフォーマット、前記現在のピクチャの前記ルーマサンプルの前記ビット深度、および前記現在のピクチャの前記クロマサンプルの前記ビット深度が、前記現在のピクチャを復号するときに前記現在のレイヤのためにアクティブである第１のシーケンスパラメータセット（ＳＰＳ）から導出され、
前記先行するピクチャの前記クロマフォーマット、前記先行するピクチャの前記ルーマサンプルの前記ビット深度、および前記先行するピクチャの前記クロマサンプルの前記ビット深度が、前記先行するピクチャを復号するときに前記現在のレイヤのためにアクティブであった第２のＳＰＳから導出される、
請求項１に記載の装置。
【請求項４】
前記プロセッサは、
前記ＤＰＢ中のピクチャが出力されるべきであるかどうかを示す、ビットストリーム中のシンタックス要素を復号すること、ここにおいて、前記シンタックス要素が前記現在のピクチャに関連付けられる、と、
前記現在のピクチャの前記クロマフォーマットと、前記先行するピクチャの前記クロマフォーマットとが異なる、前記現在のピクチャの前記ルーマサンプルの前記ビット深度と、前記先行するピクチャの前記ルーマサンプルの前記ビット深度とが異なる、または前記現在のピクチャの前記クロマサンプルの前記ビット深度と、前記先行するピクチャの前記クロマサンプルの前記ビット深度とが異なると決定したことに応答して、
前記第１のフラグの前記値を前記シンタックス要素の復号された値に等しく設定すること
によって前記第１のフラグの前記値を決定することと
を行うようにさらに構成される、請求項１に記載の装置。
【請求項５】
ビデオ情報をコーディングする方法であって、
１つまたは複数のレイヤを含むビデオビットストリームに関連付けられた情報を記憶すること、前記１つまたは複数のレイヤの各々は、品質、ビットレート、フレームレート、空間解像度、またはビューポイントのうちの１つまたは複数、の特定の組み合わせを表し、前記１つまたは複数のレイヤは、現在のレイヤを含む、と、
復号されるべき前記現在のレイヤの現在のピクチャのクロマフォーマット、前記現在のピクチャのルーマサンプルのビット深度、または前記現在のピクチャのクロマサンプルのビット深度のうちの少なくとも１つを取得することと、ここにおいて、前記現在のピクチャが、新しいコード化ビデオシーケンス（ＣＶＳ）を開始するイントラランダムアクセスポイント（ＩＲＡＰ）ピクチャである、
復号された前記現在のレイヤの先行するピクチャのクロマフォーマット、前記先行するピクチャのルーマサンプルのビット深度、または前記先行するピクチャのクロマサンプルのビット深度のうちの少なくとも１つを取得することと、
前記現在のピクチャに関連付けられた第１のフラグの値を決定すること、前記第１のフラグは、復号ピクチャバッファ（ＤＰＢ）中の前に復号されたピクチャが出力されることなく前記ＤＰＢから削除されるべきであるかどうかを示し、前記前に復号されたピクチャは、前記１つまたは複数のレイヤから復号され、ここにおいて、前記第１のフラグの前記値の前記決定は、前記現在のピクチャの前記クロマフォーマット、および前記先行するピクチャの前記クロマフォーマット、前記現在のピクチャの前記ルーマサンプルの前記ビット深度、および前記先行するピクチャの前記ルーマサンプルの前記ビット深度、または前記現在のピクチャの前記クロマサンプルの前記ビット深度、および前記先行するピクチャの前記クロマサンプルの前記ビット深度のうちの少なくとも１つに基づく、と
を備える、方法。
【請求項６】
前記第１のフラグの前記値を前記決定することは、
前記現在のピクチャの前記クロマフォーマットと、前記先行するピクチャの前記クロマフォーマットとが異なる、前記現在のピクチャの前記ルーマサンプルの前記ビット深度と、前記先行するピクチャの前記ルーマサンプルの前記ビット深度とが異なる、または前記現在のピクチャの前記クロマサンプルの前記ビット深度と、前記先行するピクチャの前記クロマサンプルの前記ビット深度とが異なると決定したことに応答して、
前記第１のフラグの前記値を１に等しく設定することを備える、
請求項５に記載の方法。
【請求項７】
前記ＤＰＢ中のピクチャが出力されるべきであるかどうかを示すビットストリーム中のシンタックス要素を復号すること、ここにおいて、前記シンタックス要素が前記現在のピクチャに関連付けられる、と、
前記現在のピクチャの前記クロマフォーマットと、前記先行するピクチャの前記クロマフォーマットとが異なる、前記現在のピクチャの前記ルーマサンプルの前記ビット深度と、前記先行するピクチャの前記ルーマサンプルの前記ビット深度とが異なる、または前記現在のピクチャの前記クロマサンプルの前記ビット深度と、前記先行するピクチャの前記クロマサンプルの前記ビット深度とが異なると決定したことに応答して、
前記第１のフラグの前記値を前記シンタックス要素の復号された値に等しく設定すること
によって前記第１のフラグの前記値を決定することと
をさらに備える、請求項５に記載の方法。
【請求項８】
前記現在のピクチャの前記クロマフォーマット、前記現在のピクチャの前記ルーマサンプルの前記ビット深度、および前記現在のピクチャの前記クロマサンプルの前記ビット深度は、前記現在のピクチャを復号するときに前記現在のレイヤのためにアクティブである第１のシーケンスパラメータセット（ＳＰＳ）から導出され、
前記先行するピクチャの前記クロマフォーマット、前記先行するピクチャの前記ルーマサンプルの前記ビット深度、および前記先行するピクチャの前記クロマサンプルの前記ビット深度は、前記先行するピクチャを復号するときに前記現在のレイヤのためにアクティブであった第２のＳＰＳから導出される、
請求項５に記載の方法。
【請求項９】
前記現在のピクチャの前記ルーマサンプルの前記ビット深度、前記現在のピクチャの前記クロマサンプルの前記ビット深度、前記先行するピクチャの前記ルーマサンプルの前記ビット深度、および前記先行するピクチャの前記クロマサンプルの前記ビット深度のそれぞれの値は、それぞれの実際のビット深度値−８として指定される、
請求項５に記載の方法。
【請求項１０】
前記第１のフラグは、ＮｏＯｕｔｐｕｔＯｆＰｒｉｏｒＰｉｃｓＦｌａｇである、
請求項５に記載の方法。
【請求項１１】
前記現在のピクチャの幅、前記現在のピクチャの高さ、および前記現在のピクチャに関連付けられたピクチャストアの数を取得すること、ここにおいて、前記現在のピクチャの前記幅および前記現在のピクチャの前記高さは、ルーマサンプルの単位で指定され、前記現在のピクチャに関連付けられたピクチャストアの前記数は、前記現在のピクチャから開始する前記コード化ビデオシーケンス中の前記現在のレイヤの復号に必要な最小ＤＰＢサイズを示す、と、
前記先行するピクチャの幅、前記先行するピクチャの高さ、および前記先行するピクチャに関連付けられたピクチャストアの数を取得すること、ここにおいて、前記先行するピクチャの前記幅および前記先行するピクチャの前記高さは、ルーマサンプルの単位で指定され、前記先行するピクチャに関連付けられたピクチャストアの前記数は、前記先行するピクチャにおいて終了するコード化ビデオシーケンス中の前記現在のレイヤの復号に必要な最小ＤＰＢサイズを示す、と
をさらに備える、請求項６に記載の方法。
【請求項１２】
前記第１のフラグの前記値を前記決定することは、
前記現在のピクチャの前記幅と、前記先行するピクチャの前記幅とが異なる、前記現在のピクチャの前記高さと、前記先行するピクチャの前記高さとが異なる、または前記現在のピクチャに関連付けられたピクチャストアの前記数と、前記先行するピクチャに関連付けられたピクチャストアの前記数とが異なると決定したことに応答して、
前記第１のフラグの前記値を１に等しく設定することを備える、
請求項１１に記載の方法。
【請求項１３】
前記ＤＰＢ中のピクチャが出力されるべきであるかどうかを示す、ビットストリーム中のシンタックス要素を復号すること、ここにおいて、前記シンタックス要素が前記現在のピクチャに関連付けられる、と、
前記現在のピクチャの前記幅と、前記先行するピクチャの前記幅とが異なる、前記現在のピクチャの前記高さと、前記先行するピクチャの前記高さとが異なる、または前記現在のピクチャに関連付けられたピクチャストアの前記数と、前記先行するピクチャに関連付けられたピクチャストアの前記数とが異なると決定したことに応答して、
前記第１のフラグの前記値を前記シンタックス要素の復号された値に等しく設定すること
によって前記第１のフラグの前記値を決定することと
をさらに備える、請求項１１に記載の方法。
【請求項１４】
前記現在のピクチャの前記幅、前記現在のピクチャの前記高さ、および前記現在のピクチャに関連付けられたピクチャストアの前記数は、前記現在のピクチャを復号するときに前記現在のレイヤのためにアクティブである第１のシーケンスパラメータセット（ＳＰＳ）から導出され、
前記先行するピクチャの前記幅、前記先行するピクチャの前記高さ、および前記先行するピクチャに関連付けられたピクチャストアの前記数は、前記先行するピクチャを復号するときに前記現在のレイヤのためにアクティブであった第２のＳＰＳから導出される、
請求項１１に記載の方法。
【請求項１５】
コンピュータハードウェアを備えるプロセッサ上で実行されると、前記プロセッサに、請求項５−１４のうちのいずれか一項にしたがった前記方法を実行させる命令を備える、非一時的コンピュータ可読媒体。